(57)【要約】【課題】本発明の根本にある目的は、特に単純な信頼できる仕方でねじを捕捉的に固定する、ねじのための取付固定手段を提供することである。【解決手段】本発明は、ねじの挿入のために構成されたねじ固定ハウジングであって、ねじ保持具及びハウジングカバーが一体に形成された単一部品であり、ねじ保持具（３）は、ねじの外周面（５）上での静止に適したねじ保持具の接触点においてねじ保持具の延長方向（９）と保持されたねじの外周面（５）との間の角度が９０度未満であるように、シャフト（１）の内周面からシャフトの自由領域内に実質的に直線状に延び、第１のベベル（１２）を有し、ハウジングカバーは、ねじをねじ保持具（３）に通過させることによって、ハウジングに確実に留まらせることに適する。【選択図】図１
2015092115.tif 000002
【特許請求の範囲】
【請求項１】
ねじの挿入のために構成されたねじ固定ハウジングであって、
ねじ保持具及びハウジングカバーが一体に形成された単一部品であり、
前記ねじ保持具は、保持されたねじの外周面上での静止に適した前記ねじ保持具の接触点である、前記ハウジングカバーのシャフトに配置され、前記ねじ保持具は、前記シャフトの内周面上に配置され、かつ、前記ねじ保持具は、前記接触点において前記ねじ保持具の延長方向と保持されたねじの前記外周面との間の角度が９０度未満であるように、前記シャフトの前記内周面から前記シャフトの自由領域内に実質的に直線状に延び、
前記ねじ保持具はさらに、保持されたねじのプラグイン方向に延びる第１のベベルを有し、前記第１のベベルは、前記第１のベベルが前記接触点を備える前記外周面上に実質的に平行して支えるように、前記ねじ保持具上に配置され、かつ前記第１のベベルが前記ねじ保持具内に挿入された時、保持されたねじの半径に実質的に対応する半径を有し、
前記ハウジングカバーは、ねじを前記ねじ保持具に通過させることによって、ハウジングに確実に留まらせることに適する、ねじ固定ハウジング。
【請求項２】
ねじの挿入のために構成されたねじ固定ハウジングであって、
ねじ保持具及びハウジングカバーが一体に形成された単一部品であり、
前記ねじ保持具は、保持されたねじの外周面上での静止に適した前記ねじ保持具の接触点である、前記ハウジングカバーのシャフトに配置され、前記ねじ保持具は、前記シャフトの内周面上に配置され、かつ、前記ねじ保持具は、前記接触点において前記ねじ保持具の延長方向と保持されたねじの前記外周面との間の角度が９０度未満であるように、前記シャフトの前記内周面から前記シャフトの自由領域内に実質的に直線状に延び、
前記ねじ保持具はさらに、保持されたねじのプラグイン方向に延び、前記ねじ保持具は保持されたねじの前記外周面上の接線上での静止に適合され、前記接触点は前記接線上に位置し、かつ前記接線上において、前記ねじ保持具の延長方向と保持されたねじの前記外周面との間の角度が９０度未満であり、
前記ねじ保持具はさらに、保持されたねじの前記プラグイン方向に延びる第１のベベルを有し、前記第１のベベルは、前記第１のベベルが前記接触点を備える前記外周面上に実質的に平行して支えるように、前記ねじ保持具上に配置され、かつ前記第１のベベルが前記ねじ保持具内に挿入された時、保持されたねじの半径に実質的に対応する半径を有し、
前記ハウジングカバーは、ねじを前記ねじ保持具に通過させることによって、ハウジングに確実に留まらせることに適する、ねじ固定ハウジング。
【請求項３】
前記第１のベベルは、保持されたねじの前記外周面上でありかつ保持されたねじの前記接触点において実質的に平行して支えるように適合される、請求項１又は２に記載のねじ固定ハウジング。
【請求項４】
前記ねじ保持具はさらに、保持されたねじの前記プラグイン方向に対し垂直に伸びる第２のベベルを備える、請求項３に記載のねじ固定ハウジング。
【請求項５】
前記角度は６０度未満である、請求項１に記載のねじ固定ハウジング。
【請求項６】
ｎが２より大きい整数である、ｎ個のねじ保持具をさらに備え、
前記ねじ保持具は、おおよそ３６０／ｎ度の間隔で、オフセット式に前記シャフト上に配置される、請求項１又は２に記載のねじ固定ハウジング。
【請求項７】
前記ねじ保持具がリブ様、ウェブ用及び／又は立方体形状と実質的に同様の体裁で構成される、請求項１又は２に記載のねじ固定ハウジング。
【請求項８】
前記ねじ保持具が弾性を有する様式に構成される、請求項１又は２に記載のねじ固定ハウジング。
【請求項９】
前記ねじ保持具内に保持されるねじをさらに備える、請求項１又は２に記載のねじ固定ハウジング。
【発明の詳細な説明】
【技術分野】
【０００１】
本発明は、ねじを保持するためのシャフトを有し、またシャフトに配置された保持手段を有する、ねじの取付固定手段に関する。
【背景技術】
【０００２】
取付固定手段は、工業的接続技術などの種々の分野の用途において極めて重要であり、また例えば取付パーツに取り外しが可能だが固定される手段でねじを保持する役割を果たす。従来技術では、ねじはしばしばハウジングカバーのような取付パーツの最終的な取付け時にだけ挿入されるが、この取付パーツが最終的な取り付けのために取付けユニットを形成するための必要なねじで既に結合される方法によって装備され、それによって最終的な取り付けが比較するとはるかに短い時間で、また適当であれば自動化された手段で実行され得る、という常習的な要求が存在する。
【０００３】
この目的のために従来技術は、多くの場合において、取付固定手段を形成するために切り落し部分としてねじにねじ山のない領域、または凹部を使用する３個の立体、またはある程度弾力性の隆起部を有する、種々の取付固定手段を開示している。しかしながら、このような取付固定手段は、取付固定手段内へのねじの軸方向挿入時に、隆起部が部分的にせん断され、その結果としてねじの繰り返される軸方向移動の場合にこれらの隆起部がもはや十分な取付固定をもたらさないという欠点を有する。更に、このような取付固定手段は、連続するねじ山を有するねじのために必ずしも適さないか、またはまったく適さない。
【発明の概要】
【発明が解決しようとする課題】
【０００４】
本発明の根本にある目的は、特に単純でかつ信頼できる手段でねじを定位置に保持するように固定する、ねじの取付固定手段を提供することである。
【課題を解決するための手段】
【０００５】
この目的は、独立クレームの特徴による本発明によって達成される。本発明の有利な構成は従属クレームにおいて与えられる。
【０００６】
したがってこの目的は、ねじを保持するためのシャフトを有し、またシャフトに配置された保持手段を有する、ねじの取付固定手段によって達成され、保持手段はねじが挿入されている状態において、ねじの外周面上の接触点を支え、保持手段はシャフトの内周面に配置され、並びに保持手段は保持手段の延長方向とねじの外周面との間の角度が９０度未満であるように、シャフトの内周面からシャフトの自由領域に実質的に直線状に延びている。
【０００７】
ねじが特に単純でかつ確実な手段でシャフトに定位置に保持されるように固定される取付固定手段は、このように本発明によって特定される。従来技術から知られている構成とは異なる事実によって、保持手段は、ねじの外周面に垂直ではなく９０度未満の角度で、すなわち「斜め」に支え、保持手段はねじの外周面に摩擦を生じさせ、したがってねじはシャフト内の定位置に保持するように固定され、また保持手段は、保持手段が例えばねじの外周面におけるその「斜め」配置によってねじの外周面から弾力的な手段によって離れることが可能であるので、シャフト内のねじの軸方向移動時にせん断されることが防止される。これはまた、ねじの寸法的偏差が保持手段の弾力的働きによって補正されることを可能にする。言い換えれば、本発明による取付固定手段は、取付固定手段の品質が損なわれることなく、特に単純な手段でシャフトにおいてねじが軸方向に動くことを保証し、またねじがねじの外周面上を支える保持手段によって確実でかつ信頼できる手段で、シャフトに定位置に保持するように固定されることを保証する。
【０００８】
本発明による取付固定手段は、従来技術から知られている任意の所望のねじに用いられ得る。好ましくは、ねじは胴部を有しており、この場合例えば、ねじの外周面が胴部および／またはねじによって形成されるようにねじの胴部にねじ山が設けられることが可能である。好ましくは、このような構成において保持手段は、ねじが挿入されている状態においてねじの胴部のおよび／またはねじ山の外周面上の接触点で支える。非常に好ましい手段では、保持手段はねじが挿入されている状態においてねじの外周面の接線領域に、すなわち接触点において点的にだけでなく接線領域において平面的にも支える。保持手段が直線状にシャフト内に延びることは更に好ましい。
【０００９】
シャフトは例えば円筒形または矩形に構成されることが可能であり、シャフトおよび／または保持手段は、好ましくはプラスチック材料で作られる。この場合、非常に好ましい手段では、保持手段はねじが挿入されている状態において直接ねじの外周面上を支える。非常に好ましい手段では、保持手段はシャフトに射出成形される。このようにして本発明は、好ましくは保持手段が従来技術から知られているように、シャフトの内周面からシャフトの中間点に垂直な手段で延びるのではなく、保持手段がねじが挿入されている状態においてねじの外周面上を支えるようにシャフトの内周面からシャフト内に「斜め」に延びることを備える。この場合、保持手段は好ましくは、保持手段とシャフトの内周面との間の接触点を通る接線であって内周面上の接線と保持手段との間の９０度未満の角度でシャフト内に延びる。
【００１０】
本発明の非常に好ましい実施形態によれば、保持手段は更にねじのプラグイン方向に延びており、保持手段はねじが挿入されている状態においてねじの外周面上の接線上を支え、接触点は接線上において保持手段の延長方向とねじの外周面との間の角度は９０度未満の角度を成す接線上に位置する。したがって、本発明のこの実施形態によれば、保持手段がシャフトの内周面からシャフトの自由領域に「斜め」にシャフトの中間点に向かって延びるばかりでなく、保持手段がまた例えば立方体形状を持つようにねじのプラグイン方向に延びることも好ましい。保持手段がねじの外周面上の接触点を支えるばかりでなく接線に沿って、好ましくは、ねじのプラグイン方向に延びる保持手段の全長に沿ってねじ上を支えるということによって、はるかに大きな摩擦が生じ、それによって、ねじの損傷に対して改善された保護をもたらすという結果がもたらされる。
【００１１】
本発明のもう１つの実施形態によれば、保持手段がねじのプラグイン方向に延びる第１のべべルを有することと、第1のベベルがねじが挿入されている状態において接触点を有する外周面上に実質的に平行な手段で支えるように保持手段上に配置されることが更に好ましい。第１のべべルがねじが挿入されている状態において接触点を有する外周面上に平行に第１のべべルの支えることは更に好ましい。第１のべべルがある動径を有することと、第１のべべルの動径がねじの動径に実質的に対応することが更に好ましい。このような構成によって、有利には保持手段または保持手段の第１のべべルが点的にばかりでなく平面的にもねじを支えることが可能になるので、保持手段とねじとの間の摩擦は増加し、それによって、ねじの損傷に対して改善された保護をもたらすという結果がもたらされる。
【００１２】
本発明の更に有利な構成によれば、保持手段は、ねじのプラグイン方向に垂直に延びる第２のべべルを有し、その結果としてねじをシャフトに挿入することがより容易になる。このような構成は、ねじをシャフトに挿入することをより容易にし、第２のベベルがねじのプラグイン方向に垂直に延びることによって、ねじの挿入時に保持手段がシャフトの自由領域からシャフトの内周面に向かって押圧され、したがってねじがシャフト内で軸方向に移動可能となる。
【００１３】
原則として、保持手段の延長方向とねじの外周面との間の角度は９０度未満の任意の所望の値を持つように構成され得る。しかしながら、本発明の特に好ましい実施形態によれば、角度は８０度以下、好ましくは７０度以下、極めて非常に好ましくは６０度以下であるとされる。角度が５０度以下または４０度以下であることが更に好ましい。ねじが挿入されていない状態における角度がねじが挿入されている状態における角度、より好ましくは５度、１０度または１５度大きいことが極めて非常に好ましい。最後に言及されたタイプの実施形態は、ねじが挿入状態にあるときよりもねじが挿入されていないときに保持手段がシャフトの中間点により近くに向けられ、例えば第２のべべルの設置によって、ねじが挿入されるときに保持手段がシャフトの中間点からシャフトの内周面に向かって押圧されることによって達成され得る。
【００１４】
本発明の更に好ましい実施形態によれば、ｎが２より大きくて自然数であり、保持手段が本質的に３６０／ｎ度の間隔でオフセット式にシャフト上に配置される、ｎ個の保持手段を備える。極めて非常に好ましい手段では、シャフトには３個の保持手段が備えられ、３個の保持手段は基本的に１２０度の間隔でオフセット式にシャフト上に配置される。シャフトと保持手段とが一体に具現されることは更に好ましい。
【００１５】
原則として保持手段は、所望に応じて構成され得る。しかしながら、本発明の更に非常に好ましい実施形態によれば、保持手段はリブ様、ウェブ様および／または立方体形状に構成されることを備える。保持手段が弾力的であるように構成されることは更に好ましい。このようにして本発明の特に好ましい実施形態では、保持手段は例えば弾力性リブとしてシャフトに射出成形され得る。
【００１６】
本発明は更に、上記のような取付保持手段を有するハウジングとハウジングカバーとを備えており、取付保持手段を貫通するねじによってハウジングカバーをハウジングに固定することが可能である。このような構成は、特に単純でかつ信頼できる固定によって特徴づけられるハウジングを利用可能にする。
【００１７】
本発明は、下記の添付図面を参照しながら好ましい実施形態に基づいて下記の本文で、より詳細に説明される。
【図面の簡単な説明】
【００１８】
【図１】本発明の好ましい例示的実施形態による本発明の取付固定手段の平面図である。
【図２】本発明の好ましい例示的実施形態による本発明の取付固定手段の斜視図である。
【図３】本発明の好ましい例示的実施形態による、ねじを有する本発明の取付固定手段の斜視図である。
【図４】本発明の好ましい例示的実施形態による取付固定手段を有する本発明のハウジングの斜視図である。
【図５】本発明の好ましい例示的実施形態による取付固定手段を有する本発明のハウジングの後方斜視図である。
【図６】本発明の好ましい例示的実施形態による本発明の取付固定手段の斜視図である。
【図７】本発明の好ましい例示的実施形態による本発明の取付固定手段の断面図である。
【発明を実施するための形態】
【００１９】
図１〜図３は、本発明の好ましい例示的実施形態による本発明の取付保持手段を示す。取付保持手段は、図２および図３から理解できるように、実質的に円形の外径を有するシャフト１を有する。シャフト１は、この場合プラスチック材料から作られており、図３から理解できるように、ねじ２を保持するように構成されている。
【００２０】
ねじ２をシャフト１内に固定手段によって備えるために、この場合、シャフト１と一体に構成された３個の保持手段３が設けられている。この場合、保持手段３は、シャフト１内へねじ２が挿入されている状態においてそれぞれの保持手段３がねじ２の外周面５上のそれぞれの接触点４において支えるように構成されている。
【００２１】
シャフト１の内周面６上に配置された保持手段３は、図３から理解できるように接触点４において保持手段３の延長方向９と接触点４におけるねじ１の外周面５との、すなわち接線１１との間の角度８が９０度未満、この場合は４５度であるように、保持手段３がシャフト１の内周面６からシャフト１の自由領域７に直線状に延びるように構成される。
【００２２】
保持手段３は更に、ねじ２のプラグイン方向１０に延び、この場合には直方体といったリブ状に構成される。この場合、保持手段３は、ねじ２のプラグイン方向１０に延びる第１のべべル１２を有しており、図３から理解できるように第１のべべル１２または第１のべべル１２の斜面はねじ２が挿入されている状態において、ねじ２の接触点４を有する外周面５上を実質的に平行に支え、または第１のべべル１２は本質的にねじ２の動径に対応する曲率を有する。
【００２３】
更に保持手段３は、図５、図６及び図７から理解できるように第２のべべル１３を有する。第２のべべル１３は、ねじ２のプラグイン方向１０に垂直に延び、したがって第２のべべル１３の斜面はねじ２のプラグイン方向１０に向かって傾斜している。この第２のべべル１３はシャフト１へのねじ２の挿入を容易にし、第２のべべル１３により弾力的に構成された保持手段３がシャフト１の周辺に向かって曲がり、ねじ２がシャフト１内で軸方向に移動可能であり、また弾力性によりねじ２がシャフト１内で定位置に保持されるように保持手段３がねじ２上に摩擦を生む。
【００２４】
図４はハウジング１４のコーナーに配置された４個の取付固定手段を有するハウジング１４を示しており、ハウジング１４上に定位置に保持されたねじ２によってハウジングカバー（図示せず）を固定することが可能である。図５は、第２のべベル１３が理解できるようにハウジング１４の後面図を示す。
【符号の説明】
【００２５】
１：シャフト
２：ねじ
３：保持手段
４：接触点
５：外周面
６：内周面
７：自由領域
８：角度
９：延長方向
１０：プラグイン方向
１１：接線
１２：第１のべべル
１３：第２のべべル
１４：ハウジング
【図１】
2015092115.tif 000003
【図２】
2015092115.tif 000004
【図３】
2015092115.tif 000005
【図４】
2015092115.tif 000006
【図５】
2015092115.tif 000007
【図６】
2015092115.tif 000008
【図７】
2015092115.tif 000009